(57)【要約】【課題】ランプの落下を防止することができ、且つ容易に間引き点灯させることができるランプソケット及びそれを用いた照明器具を提供する。【解決手段】ランプソケットＢは、ソケット本体４を備えており、ソケット本体４の前面側には、ランプＡの口金部２を収納するための収納凹部５ａが設けられている。また、収納凹部５ａの側壁には、口金部２を収納凹部５ａに挿入した際に口金部２に設けた突出部２ａを挿通させる挿通溝５ｃが設けられており、さらに口金部２の回転動作に応じて突出部２ａが進入する係合溝５ｂが挿通溝５ｃと連通して設けられている。この挿通溝５ｃ内には、挿入した突出部２ａと係止する係止ばね８が配置されており、さらに係合溝５ｂ内には、係合溝５ｂに進入した突出部２ａと係止する係止ばね７が配置されている。このランプソケットＢでは、突出部２ａが係止ばね８に係止することでランプＡがランプソケットＢに仮保持される。【選択図】図１
2008130384.tif 000002
【特許請求の範囲】
【請求項１】
ランプピンが底部に突設され互いに対向する両側面に突出部がそれぞれ形成された片口金ランプの口金部が挿入される収納凹部を前面側に有し、当該収納凹部の側壁に前記口金部を当該収納凹部に挿入させる際に前記突出部を挿通させる挿通溝及び当該挿通溝と連通し前記口金部を一方向に回転させた際に前記突出部が進入する係合溝が設けられたソケット本体を備え、前記係合溝内に前記突出部と係止する係止ばねを設けるとともに、前記挿通溝に挿通された前記突出部と係止する係止部を有する弾性係止部材を前記挿通溝内に設けたことを特徴とするランプソケット。
【請求項２】
前記口金部を挿入し前記収納凹部の底部に当接させた状態において、前記突出部と前記係止部とが係合しない位置に前記弾性係止部材を配置したことを特徴とする請求項１記載のランプソケット。
【請求項３】
前記挿通溝を間にして前記係止ばねと対向する位置に前記弾性係止部材を配設したことを特徴とする請求項１又は２の何れか１項に記載のランプソケット。
【請求項４】
前記弾性係止部材は、前記係止部の一端側を折り返して形成されて前記挿通溝内に差込固定される取付部を有し、取付状態において差込方向と逆方向への移動を規制する抜け止め手段を前記取付部に設けたことを特徴とする請求項１〜３の何れか１項に記載のランプソケット。
【請求項５】
前記弾性係止部材は、前記収納凹部の背面側に取付けられる取付部を有し、前記背面側には前記挿通溝と連通する挿通孔が設けられており、前記係止部を当該挿通孔を通して前記挿通溝内に配設した状態で前記取付部を前記背面側に取付けたことを特徴とする請求項１〜３の何れか１項に記載のランプソケット。
【請求項６】
前記係止部が設けられた弾性係止部と前記係止ばねとを一体に形成したことを特徴とする請求項１〜３の何れか１項に記載のランプソケット。
【請求項７】
前記係止ばねは、前記係合溝に固定するための固定部と、前記突出部に係合する可動ばね部とを有しており、前記固定部における当該可動ばね部と反対側の端部から延出して前記係止部を形成したことを特徴とする請求項６記載のランプソケット。
【請求項８】
前記係止部を前記係止ばねの一部を切り起こして形成したことを特徴とする請求項６記載のランプソケット。
【請求項９】
請求項１〜８の何れか１項に記載のランプソケットと、ランプと、当該ランプに電源を供給する電源手段とを備えたことを特徴とする照明器具。
【発明の詳細な説明】
【技術分野】
【０００１】
本発明は、ランプソケット及びそれを用いた照明器具に関するものである。
【背景技術】
【０００２】
従来より、片口金タイプのランプを装着するランプソケットがあった。このランプソケットは樹脂製のソケット本体を備えており、ソケット本体の前面側にはランプの口金部を収納する収納凹部が設けられている。この収納凹部の幅方向に沿う両側壁には、口金部の幅方向に沿う両側壁にそれぞれ設けた突出部を挿通させるための挿通溝がそれぞれ設けられており、各挿通溝には口金部を回転させた際に突出部が進入する係止溝がそれぞれ連設されている。また、各係止溝内には進入した突出部を係止する係止ばねがそれぞれ配置されている。
【０００３】
このランプソケットにランプを接続する際に、口金部を前面側から収納凹部に挿入すると、同時に突出部が挿通溝に挿通される。そして、口金部を収納凹部の底面と略平行な面に沿って回転させると突出部が係止溝に進入し、さらに突出部が係止ばねに係止されるとランプがランプソケットに装着される。
【０００４】
しかし、このようなランプソケットを用いた照明器具が、例えば天井面に埋込配設された場合、突出部と係止ばねとの係合が不十分な状態で放置されると振動等によって係合が外れ、ランプが落下する虞れがあった。また、係止ばねの形状によっては突出部と係止ばねとの係合が不十分な状態であってもランプが点灯するものもあり、この場合係合が不十分な状態で放置される可能性はさらに高く、ランプが落下する可能性も高くなっていた。
【０００５】
そこで、ランプの落下を防止するために、押し込みばねを用いたランプソケットが提案されている（例えば特許文献１参照）。このランプソケットは樹脂製のソケット本体を備えており、ソケット本体の前面側にはランプの口金部を収納する収納凹部が設けられている。この収納凹部の幅方向に沿う両側壁には、口金部の幅方向に沿う両側壁に設けた突出部を挿通させるための挿通溝がそれぞれ設けられており、各挿通溝には突出部の高さと略同じ高さ寸法に形成され、進入した突出部を係止する係止溝がそれぞれ連設されている。また、各挿通溝内には挿入された突出部を係止溝に押し込むための押し込みばねがそれぞれ配置されている。
【０００６】
このランプソケットにランプを接続する際に、口金部を前面側から収納凹部に収納すると、挿通溝に挿入された突出部が押し込みばねに弾性付勢されて挿通溝から係止溝に進入し、突出部が係止溝に係止されるとランプがランプソケットに装着される。
【特許文献１】特開平９−１８０８３８号公報（第３頁−第５頁、及び、第１図−第５図）
【発明の開示】
【発明が解決しようとする課題】
【０００７】
上述の特許文献１に示したランプソケットでは、ランプを取り外す際にランプを押し込みばねの付勢力に逆らって回転させるために、大きな回転トルクが必要であった。さらに、挿通溝まで回転させた突出部を挿通溝から引き抜く際に、押し込みばねの付勢力によって突出部が押し出されるので、ランプが勢いよく飛び出す虞れがあった。
【０００８】
また、省エネのためにランプを間引き点灯させる場合があるが、通常ではランプを照明器具から取り外す必要があり、手間がかかっていた。一方、ランプピンの一部を導電板に接触させた状態でランプを仮保持することができる照明器具も提案されており、この場合ランプは点灯しないので、ランプを取り外すことなく仮保持させることができるが、導電板による保持力は不安定なものであり、振動等によりランプが落下する虞れがあった。
【０００９】
本発明は上記問題点に鑑みて為されたものであり、その目的とするところは、ランプの落下を防止することができ、且つ容易に間引き点灯させることができるランプソケット及びそれを用いた照明器具を提供することにある。
【課題を解決するための手段】
【００１０】
請求項１の発明は、ランプピンが底部に突設され互いに対向する両側面に突出部がそれぞれ形成された片口金ランプの口金部が挿入される収納凹部を前面側に有し、当該収納凹部の側壁に口金部を当該収納凹部に挿入させる際に突出部を挿通させる挿通溝及び当該挿通溝と連通し口金部を一方向に回転させた際に突出部が進入する係合溝が設けられたソケット本体を備え、係合溝内に突出部と係止する係止ばねを設けるとともに、挿通溝に挿通された突出部と係止する係止部を有する弾性係止部材を挿通溝内に設けたことを特徴とする。
【００１１】
請求項２の発明は、口金部を挿入し収納凹部の底部に当接させた状態において、突出部と係止部とが係合しない位置に弾性係止部材を配置したことを特徴とする。
【００１２】
請求項３の発明は、挿通溝を間にして係止ばねと対向する位置に弾性係止部材を配設したことを特徴とする。
【００１３】
請求項４の発明は、弾性係止部材は、係止部の一端側を折り返して形成されて挿通溝内に差込固定される取付部を有し、取付状態において差込方向と逆方向への移動を規制する抜け止め手段を取付部に設けたことを特徴とする。
【００１４】
請求項５の発明は、弾性係止部材は、収納凹部の背面側に取付けられる取付部を有し、背面側には挿通溝と連通する挿通孔が設けられており、係止部を当該挿通孔を通して挿通溝内に配設した状態で取付部を背面側に取付けたことを特徴とする。
【００１５】
請求項６の発明は、係止部が設けられた弾性係止部と係止ばねとを一体に形成したことを特徴とする。
【００１６】
請求項７の発明は、係止ばねは、係合溝に固定するための固定部と、突出部に係合する可動ばね部とを有しており、固定部における当該可動ばね部と反対側の端部から延出して係止部を形成したことを特徴とする。
【００１７】
請求項８の発明は、係止部を係止ばねの一部を切り起こして形成したことを特徴とする。
【００１８】
請求項９の発明は、請求項１〜８の何れか１項に記載のランプソケットと、ランプと、当該ランプに電源を供給する電源手段とを備えたことを特徴とする。
【発明の効果】
【００１９】
請求項１の発明によれば、挿通溝内に弾性係止部材を設けることによって、係止ばねと突出部との係合が不十分で振動等によって係合が外れた場合でも、突出部を弾性係止部材の係止部に係止させることでランプを仮保持できるので、口金部がランプソケットから脱落するのを防止することができるという効果がある。また、突出部を弾性係止部材の係止部に係止させることによって、ランプを点灯させることなく安定した状態でランプを仮保持することができるので、ランプを取り外すことなく、容易に間引き点灯させることができるという効果もある。
【００２０】
請求項２の発明によれば、口金部を収納凹部の底部に当接させた状態において、突出部は弾性係止部材からランプの取付方向に弾性付勢されていないので、ランプを取り外す方向に回転させて突出部を係合溝から挿通溝に移動させる際に加える力を小さくすることができ、且つ突出部を挿通溝に移動させた状態からランプを前面側に引き抜くだけで容易にランプソケットから取り外すことができるという効果がある。
【００２１】
請求項３の発明によれば、挿通溝を間にして係止ばねと対向する位置に弾性係止部材を配設することによって、弾性係止部材を収納凹部内に設けることができるので、ソケット本体の外形を大きくする必要がなく、係止ばねを用いないタイプと同形状のソケット本体を用いることができる。従って、ソケット本体を成形するための金型の大部分を共用することができ、且つ自動組立用のパレットを共用することができるという効果がある。
【００２２】
請求項４の発明によれば、弾性係止部材の係止部を取付部に対して折り返しにより形成しているので、係止部の小さな変位量でより大きな係止力を得ることができるという効果がある。また、弾性係止部材を挿通溝内に配設することによって、弾性係止部材を収納凹部内に設けることができるので、ソケット本体の外壁を切り欠く必要がなく、ソケット本体の強度を確保することができるという効果がある。さらに、弾性係止部材の取付部に差込方向と逆方向への移動を規制する抜け止め手段を設けているので、ランプをランプソケットに脱着する際に、弾性係止部材がソケット本体から外れることがないという効果がある。
【００２３】
請求項５の発明によれば、ランプピンよりも外側に突出部が設けられている口金部では、ランプソケットにおいてランプピンと接触する接触端子が収納される部位の周辺に空間が形成される。従って、この空間を利用して挿通溝と連通する挿通孔を設けることができるので、ソケット本体の外形を大きくすることなく、よりコンパクトなランプソケットを提供することができるという効果がある。
【００２４】
請求項６の発明によれば、弾性係止部を係止ばねと一体に形成することによって、新たに部品を追加する必要がなく、また係止ばねと突出部との係合が不十分で振動等によって係合が外れた場合でも、突出部を係止部に係止させることでランプを仮保持できるので、口金部がランプソケットから脱落するのを防止することができるという効果がある。
【００２５】
請求項７の発明によれば、係止ばねの固定部における可動ばね部と反対側の端部から延出して係止部を形成しているので、係止ばねの材料幅の増加を抑えることができるという効果がある。さらに、固定部に対して折り返して係止部を形成することで、係止部の小さい変位量でより大きな係止力を得ることができるという効果もある。
【００２６】
請求項８の発明によれば、係止部を係止ばねの一部を切り起こして形成しているので、係止ばねの材料長の増加を抑えることができるという効果がある。さらに、ランプソケットにおいてランプピンと接触する接触端子が収納される部位の周辺に形成される空間を利用して挿通溝と連通する挿通孔を設けることができるので、ソケット本体の外形を大きくすることなく、よりコンパクトなランプソケットを提供することができるという効果もある。
【００２７】
請求項９の発明によれば、請求項１〜８の何れか１項に記載のランプソケットを用いることによって、係止ばねと突出部との係合が不十分で振動等によって係合が外れた場合でも、突出部を弾性係止部材の係止部に係止させることでランプを仮保持できるので、口金部がランプソケットから脱落しない安全な照明器具を提供することができるという効果がある。また、突出部を弾性係止部材の係止部に係止させることによって、ランプを点灯させることなく安定した状態でランプを仮保持することができるので、ランプを取り外す必要がなく、容易に間引き点灯させることができる照明器具を提供することができるという効果もある。
【発明を実施するための最良の形態】
【００２８】
（第１の実施形態）
第１の実施形態を図１〜図７に基づいて説明する。本発明に係るランプソケットＢは、図６に示すように、例えば天井面（図示せず）に取付けられた照明器具Ｃに取付けられており、ランプＡとランプＡに電源を供給するインバータ１４とを電気的に接続した状態でランプＡを保持するために用いられる。
【００２９】
まず、ランプＡについて図１及び図６に基づいて説明する。ランプＡは、螺旋状に形成された発光管１を備えた片口金蛍光ランプであって、下端側には口金部２が設けられている。この口金部２の底部には、複数（図６（ａ）において４本）のランプピン３が突設されており、口金部２において互いに対向する一方の両側壁には、突出部２ａ、２ａがそれぞれ突設されている。
【００３０】
次にランプソケットＢについて図１〜図４に基づいて説明する。ランプソケットＢは、ランプＡの口金部２を収納するための収納凹部５ａを前面側に有するソケット本体４と、ソケット本体４の裏面側に配設され、ランプピン３と電源線（図示せず）とを電気的に接続するための導電部材９と、ランプＡの口金部２をソケット本体４の収納凹部５ａに挿入した際に突出部２ａを係止させる係止ばね（弾性係止部材）８と、収納凹部５ａに挿入した口金部２を回転させた際に突出部２ａを係止させる係止ばね７とを備えている。
【００３１】
ソケット本体４は、絶縁材料により形成されており、前面側に収納凹部５ａを備えた横長の略箱形状の口金収納部５と、裏面側に導電部材９を収納するための収納凹部６ａを有する導電部材収納部６とを一体に形成して構成されている。
【００３２】
口金収納部５は、収納凹部５ａの底部にランプピン３が挿入される略楕円形状のランプピン挿入孔５ｊが複数（図３（ａ）において４個）設けられており、収納凹部５ａの幅方向に沿う両側壁には口金部２に設けた両突出部２ａ、２ａを挿通させるための挿通溝５ｃ、５ｃが形成されている。これらの挿通溝５ｃは、ランプＡの挿入方向（図１のＤの方向）に沿って、口金部２の回転中心に対して対角の位置にそれぞれ形成されている。また、各挿通溝５ｃの前面側端縁には面取り５ｄがそれぞれ施されており、各挿通溝５ｃに対向する口金収納部５の外周面には、挿通溝５ｃの位置を表示するための断面円弧状の突起部５ｅがそれぞれ一体に形成されている。さらに、収納凹部５ａの幅方向に沿う両側壁には、各挿通溝５ｃと連通する係合溝５ｂが口金部２の回転方向（図１のＥの方向）に沿ってそれぞれ形成されており、連通する挿通溝５ｃと係合溝５ｂとの間にはリブ５ｎが裏面側に向かってそれぞれ突設されている。また、図４に示すように各係合溝５ｂの上面には、後述する係止ばね７を位置決めするための位置決め突起５ｋが突設されており、この位置決め突起５ｋを間にして両側には、係止ばね７を係止するための係止凹部５ｐがそれぞれ形成されている。さらに、口金収納部５の外周面において各係合溝５ｂと対応する部位には、各係合溝５ｂと連通する開口部５ｆ、５ｆがそれぞれ設けられている。また、口金収納部５の裏面側には、図２に示すように後述する係止ばね８を挿通して係止するための挿通係止孔５ｇが設けられており、挿通係止孔５ｇの途中位置には図３（ｂ）に示すように係止ばね８の抜け止め片８ｃと係止する段部５ｑが設けられている。尚、挿通溝５ｃの外側に係止ばね８を配置した場合でも、図３（ｃ）に示すように四隅に形成された空間に係止ばね８を配置することによって、口金収納部５の最大長Ｄ２を大きくすることなく、口金収納部５内に係止ばね８を配置することができる。
【００３３】
導電部材収納部６は、図２に示すように裏面側に４個の導電部材９を収納するための収納凹部６ａが形成されており、この収納凹部６ａの幅方向に沿う両端側において長手方向略中央には、後述する裏カバー１０に設けた一対の弾性係止片１０ａをそれぞれ挿通して係止するための挿通係止孔６ｂがそれぞれ設けられている。
【００３４】
ここで、裏カバー１０について図２に基づいて説明する。裏カバー１０は、導電部材収納部６の収納凹部６ａの開口を塞ぐように略矩形板状に形成されており、各挿通係止孔６ｂに対応する部位には、先端側に係止爪１０ｄを有する弾性係止片１０ａがそれぞれ突設されている。また、裏カバー１０の長手方向に沿う両端側には、電源線を挿入するための電源線挿入孔１０ｂがそれぞれ各２個ずつ設けられており、各電源線挿入孔１０ｂには電源線の接続を解除するための電源線解除孔１０ｃがそれぞれ連設されている。
【００３５】
次に、導電部材９について図２に基づいて説明する。各導電部材９は、導電材料で形成されており、ランプピン３を挟持するための略コ字状の挟持片９ａを有している。また、挟持片９ａの一端側には、電源線を接続するための速結端子９ｂが一体に設けられており、挟持片９ａと速結端子９ｂの差込口が互いに反対向きとなるように配置されている。尚、速結端子９ｂは従来周知の構成を有しているので、その説明は省略する。
【００３６】
さらに、係止ばね７について図２及び図４に基づいて説明する。係止ばね７は、係合溝５ｂに設けた位置決め突起５ｋと対応する部位に位置決め孔７ｄが設けられた位置決め固定片７ａを有しており、位置決め固定片７ａの両端側から係止凹部５ｐ、５ｐと係止する係止片７ｅ、７ｅが略ハ字状に折曲形成されている。また、位置決め固定片７ａの一端側には突出部２ａと弾性自在に弾接する可動ばね片７ｂが折り返して形成されており、位置決め固定片７ａから可動ばね片７ｂへの折り返し部位には、円弧状の膨出部７ｆが設けられている。さらに、可動ばね片７ｂの先端側には突出部２ａと係止する係止片７ｃが形成されている。ここに、位置決め固定片７ａと両係止片７ｅ、７ｅとで固定部が構成され、可動ばね片７ｂと係止片７ｃとで可動ばね部が構成されている。
【００３７】
次に、係止ばね８について図２に基づいて説明する。係止ばね８は、略矩形板状の取付片８ｂを有しており、取付片８ｂの一端側を折り返して係止片（係止部）８ａが形成されている。この係止片８ａは、先端側が略く字状に折り曲げられており、取付片８ｂの幅方向両端側には、取付片８ｂの一部を切り起こして係止片８ａと反対側に折り曲げられた抜け止め片８ｃ、８ｃが形成されている。
【００３８】
ここで、ランプソケットＢの組み立て方法について図１〜図３に基づいて説明する。まず、導電部材９を取付ける方法について説明する。各導電部材９の挟持片９ａを前面側に向けた状態で導電部材収納部６の収納凹部６ａにそれぞれ挿入する。そして、裏面側から裏カバー１０の各弾性係止片１０ａをそれぞれ挿通係止孔６ｂに挿通すると、各弾性係止片１０ａの係止爪１０ｄが導電部材収納部６にそれぞれ係止して裏カバー１０が取付けられ、導電部材９の取付けが完了する。取付状態において、各導電部材９は収納凹部６ａの底部と裏カバー１０とで位置決めされており、挟持片９ａはランプピン挿入孔５ｊを臨んで配置され、速結端子９ｂは電源線挿入孔１０ｂを臨んで配置されている。
【００３９】
次に、係止ばね７を取付ける方法について説明する。各係止ばね７を外側から各開口部５ｆを通して係合溝５ｂに挿入する。そして、係合溝５ｂの位置決め突起５ｋに位置決め固定片７ａの位置決め孔７ｄを圧入嵌合し、両係止片７ｅ、７ｅを係止凹部５ｐ、５ｐにそれぞれ係止させると、係止ばね７の取付けが完了する。取付状態において、係止ばね７の可動ばね片７ｂは係合溝５ｂ内に配置されている。
【００４０】
さらに、係止ばね８を取付ける方法について説明する。各係止ばね８の取付片８ｂから係止片８ａへの折り返し部位を前面側に向けた状態で裏面側から各挿通係止孔５ｇにそれぞれ挿入する。そして、図３（ｂ）に示すように各抜け止め片８ｃを各挿通係止孔５ｇに設けた段部５ｑにそれぞれ係止させると、図１に示すように係止ばね８の係止片８ａが挿通溝５ｃ内に配置された状態で係止ばね８の取付けが完了する。取付状態において、係止ばね８は抜け止め片８ｃ、８ｃが段部５ｑと係止することによって、差込方向と逆方向への抜けが防止されている。
【００４１】
次に、このランプソケットＢにランプＡを装着する際の動作を図４及び図５に基づいて説明する。まず、口金部２を収納凹部５ａの底部に当接するまで挿入する際の突出部２ａの動作について図５に基づいて説明する。収納凹部５ａに口金部２を挿入し始めると、図５（ａ）に示すように突出部２ａが挿通溝５ｃ内に挿入される。この時、突出部２ａと係止ばね８の係止片８ａとは接触していない。さらに、口金部２を挿入すると、図５（ｂ）に示すように突出部２ａに押されて係止片８ａが弾性変形し、係止片８ａとリブ５ｎとの間に仮保持力が発生する。さらに、口金部２を挿入すると、図５（ｃ）に示すように突出部２ａが係止片８ａとリブ５ｎとの間で仮保持された状態になる。そして、口金部２を収納凹部５ａの底部に当接するまで挿入すると、図５（ｄ）に示すように突出部２ａが係止片８ａよりも下方へ移動し、突出部２ａは係止片８ａから力を受けない位置に配置される。この時、各ランプピン３は、対応するランプピン挿入孔５ｊ内にそれぞれ挿入され、導電部材９と非接触の状態で保持されている。
【００４２】
図４（ａ）は口金部２を収納凹部５ａの底部に当接するまで挿入した状態を示し、この状態から口金部２を回転させると、図４（ｂ）に示すように突出部２ａが係合溝５ｂ内に進入し、突出部２ａに押されて可動ばね片７ｂが弾性変形する。そして、さらに口金部２を回転させると、突出部２ａが下向きに弾性付勢された状態で係止片７ｃと係止し、口金部２が収納凹部５ａの底部に押付けられた状態で保持されて、ランプＡがランプソケットＢに装着される。この時、各ランプピン３は、口金部２の回転動作に従ってランプピン挿入孔５ｊ内をそれぞれ移動し、対応する導電部材９にそれぞれ接触して電気的に接続される。
【００４３】
逆に、ランプソケットＢからランプＡを取り外す場合には、まず口金部２を取付方向と反対方向に回転させると、突出部２ａと係止片７ｃとの係止が外れる。この時、各ランプピン３は、導電部材９と不安定な状態で接続している。さらに、口金部２を回転させると、突出部２ａが係合溝５ｂに沿って挿通溝５ｃまで移動する。この時、ランプピン３と導電部材９との接続が解除される。そして、ランプＡを引き抜くと、突出部２ａが挿通溝５ｃに沿って前面側に移動し、ランプＡがランプソケットＢから取り外される。
【００４４】
本実施形態のランプソケットＢでは、口金部２を収納凹部５ａの底部に当接させた状態で突出部２ａが力を受けない位置に係止ばね８を配設することによって、突出部２ａは係止ばね８からランプＡの取付方向に弾性付勢されていないので、ランプＡを取り外す方向に回転させて突出部２ａを係止溝５ｂから挿通溝５ｃに移動させる際に加える力を小さくすることができ、且つ突出部２ａを挿通溝５ｃに移動させた状態からランプＡを前面側に引き抜くだけで容易にランプソケットＢから取り外すことができる。また、挿通溝５ｃ内に係止ばね８を配設することによって、係止ばね７と突出部２ａとの係合が不十分で振動等によって係合が外れた場合であっても、図７に示すように係止片８ａとリブ５ｎとの間で突出部２ａを係止させることでランプＡを仮保持できるので、口金部２がランプソケットＢから脱落するのを防止することができる。
【００４５】
さらに、挿通溝５ｃを間にして係止ばね７と対向する位置に係止ばね８を配設することによって、係止ばね８を口金収納部５内に設けることができるので、口金収納部５の最大幅Ｄ１（図３（ａ）参照）を大きくしなくてもよい。従って、係止ばね８を用いないタイプと同形状のソケット本体４を用いることができるので、ソケット本体４を成形するための金型の大部分を共用することができ、且つ自動組立用のパレットを共用することができる。また、係止ばね８の係止片８ａを取付片８ｂの一端側を折り返すことによって形成しているので、係止片８ａの小さな変位量でより大きな係止力を得ることができる。さらに、係止ばね８を挿通溝５ｃ内に配設することによって、係止ばね８を口金収納部５内に設けることができるので、口金収納部５の外壁を切り欠く必要がなく、口金収納部５の強度を確保することができる。また、係止ばね８の取付片８ｂの一部を切り起こして抜け止め片８ｃを設けているので、ランプＡをランプソケットＢに着脱する際に、係止ばね８がソケット本体４から外れることがない。
【００４６】
ここで、上述のランプソケットＢを用いた照明器具Ｃの一実施形態を図６に基づいて説明する。照明器具Ｃは、下面が開口し、開口端縁に鍔部１２ａを有する反射板１２を備えており、鍔部１２ａの近傍には取付ばね１３が取付けられている。この反射板１２は天板１６に取付けられており、反射板１２内には、ランプソケットＢが配設されている。また、天板１６にはランプＡに電源を供給するためのインバータ１４と、外部から配線された電源線（図示せず）が接続される電源端子台１５とが取付けられており、インバータ１４からのリード線（図示せず）が電源線挿入孔１０ｂに挿入されて、インバータ１４とランプソケットＢとの間が電気的に接続されている。
【００４７】
この照明器具Ｃは、天井面に設けた埋込孔（図示せず）を介して天井裏に配設され、取付ばね１３と鍔部１２ａとの間で天井材を挟持した状態で取付けられる。そして、図６（ａ）のように下面側からランプＡを反射板１２内に挿入し、ランプＡをランプソケットＢに装着すると、図６（ｂ）に示すように照明器具Ｃの取付けが完了する。
【００４８】
この照明器具Ｃでは、本発明に係るランプソケットＢを用いることによって、係止ばね７と突出部２ａとの係合が不十分で振動等によって係合が外れた場合でも、突出部２ａを係止ばね８の係止片８ａとリブ５ｎとの間で係止させることでランプＡを仮保持できるので、口金部２がランプソケットＢから脱落しない安全な照明器具Ｃを提供することができる。また、突出部２ａを係止片８ａとリブ５ｎとの間で係止させることによって、ランプＡを点灯させることなく安定した状態でランプＡを仮保持することができるので、ランプＡを取り外すことなく、容易に間引き点灯させることができる照明器具Ｃを提供することができる。
【００４９】
さらに、この照明器具Ｃをダウンライトとして使用した場合、突出部２ａと係止ばね７との係合を外した状態では図７に示すように係止片８ａとリブ５ｎとの間で突出部２ａを係止させてランプＡを仮保持した状態にあり、Ｄ３寸法分ランプＡを下方に移動させることができるので、掴み代が小さいランプＡを用いた場合でも掴み代を大きくすることができ、ランプＡを容易に引き抜くことができる。
【００５０】
尚、本実施形態で説明した係止ばね７、８の形状は、本実施形態に限定されるものではなく、配置箇所等に応じて適宜設計してもよい。また、本実施形態では、螺旋状の発光管１を用いたランプＡで説明したが、用いるランプＡは本実施形態に限定されるものではなく、片口金タイプのランプであればよい。さらに、ソケット本体４の形状も本実施形態に限定されるものではなく、適宜設計してもよい。
【００５１】
（第２の実施形態）
第２の実施形態を図８に基づいて説明する。本実施形態のランプソケットＢは、ソケット本体４と、導電部材９と、係止ばね（弾性係止部材）１１と、係止ばね７とを備えており、係止ばね８の代わりに係止ばね１１を用いた点以外の構成は第１の実施形態と同様であるので、同一の構成要素には同一の符号を付して説明は省略する。
【００５２】
係止ばね１１は、略矩形板状の位置決め固定片１１ｂを有しており、この位置決め固定片１１ｂにおいて口金収納部５の裏面側に設けた位置決め突起５ｍと対応する位置には、位置決め突起５ｍと嵌合する位置決め孔１１ｃが設けられている。また、位置決め固定片１１ｂの一端側には、位置決め固定片１１ｂと直交する方向に延出する係止片（係止部）１１ａが一体に形成されており、係止片１１ａの先端側は略く字状に折曲形成されている。さらに、口金収納部５の裏面側において係止片１１ａに対応する部位には、各挿通溝５ｃと連通する挿通孔５ｈがそれぞれ設けられている。
【００５３】
この係止ばね１１は、係止片１１ａを挿通孔５ｈに挿通するとともに、位置決め固定片１１ｂの位置決め孔１１ｃを位置決め突起５ｍに圧入嵌合させると、口金収納部５に取付けられる。取付状態において、係止片１１ａは挿通溝５ｃ内に配置される。尚、ランプＡをランプソケットＢに着脱する際の取付動作及び取り外し動作については、第１の実施形態と同様であるのでその説明は省略する。
【００５４】
このランプソケットＢでは、口金部２において突出部２ａがランプピン３よりも外側に設けられているので、導電部材収納部６よりも口金収納部５を大きく形成する必要があり、導電部材収納部６の外側に空間が形成される。従って、この空間を利用して位置決め固定片１１ｂを固定できる挿通孔５ｈを設けることができるので、ソケット本体４の外形を大きくすることなく、よりコンパクトなランプソケットＢを提供することができる。
【００５５】
（第３の実施形態）
第３の実施形態を図９に基づいて説明する。本実施形態のランプソケットＢは、ソケット本体４と、導電部材９と、係止片８ａの機能を持たせた係止ばね７とを備えており、係止片８ａの機能を有する係止片７ｆを係止ばね７に一体に形成した点以外の構成は第１の実施形態と同様であるので、同一の構成要素には同一の符号を付して説明は省略する。
【００５６】
係止片（係止部）７ｆは、係止ばね７の位置決め固定片７ａにおいて可動ばね片７ｂと反対側の端部を可動ばね片７ｂの折曲方向と反対側に折り返して形成されており、先端側が略く字状に折り曲げられている。また、口金収納部５の外壁において開口部５ｆの上方位置には、位置決め固定片７ａから係止片７ｆへの折り返し部位７ｋを挿入させるための略円弧状の挿入溝５ｒが形成されている。
【００５７】
この係止ばね７を口金収納部５に取付けるには、まず位置決め固定片７ａに対して係止片７ｆを開き、位置決め固定片７ａ側を開口部５ｆに、折り返し部位７ｋを挿入溝５ｒに挿入する。この時、係止片７ｆは口金収納部５の前面側を通って挿通溝５ｃ内に配置される。そして、係合溝５ｂ内の位置決め突起５ｋに位置決め固定片７ａの位置決め孔７ｄを圧入嵌合するとともに、両係止片７ｅ、７ｅを係止凹部５ｐ、５ｐにそれぞれ係止させると、係止ばね７の取付けが完了する。取付状態において、可動ばね片７ｂは係合溝５ｂ内に配置され、係止片７ｆは挿通溝５ｃ内に配置される。尚、ランプＡをランプソケットＢに着脱する際の取付動作及び取り外し動作については、第１の実施形態と同様であるのでその説明は省略する。
【００５８】
このランプソケットＢでは、係止片７ｆを係止ばね７と一体に形成することによって、新たに部品を追加することがなく、特に係止片７ｆを位置決め固定片７ａにおいて可動ばね片７ｂと反対側の端部を折り返して形成することによって、係止ばね７の材料幅の増加を抑えることができる。また、位置決め固定片７ａの一端側を折り返して係止片７ｆを形成することで、係止片７ｆの小さい変位量でより大きな係止力を得ることができる。
【００５９】
（第４の実施形態）
第４の実施形態を図１０に基づいて説明する。本実施形態のランプソケットＢは、ソケット本体４と、導電部材９と、係止片８ａの機能を持たせた係止ばね７とを備えており、係止片８ａの機能を有する係止片７ｆを可動ばね片７ｂを切り起こして一体に形成した点以外の構成は第１の実施形態と同様であるので、同一の構成要素には同一の符号を付して説明は省略する。
【００６０】
係止ばね７は、略矩形板状の位置決め固定片７ｇを有しており、この位置決め固定片７ｇにおいて口金収納部５の裏面側に設けた位置決め突起５ｍと対応する位置には、位置決め突起５ｍと嵌合する位置決め孔７ｈが設けられている。また、位置決め固定片７ｇの一端側には、位置決め固定片７ｇと直交する方向に延出する係止片（係止部）７ｆが一体に形成されており、係止片７ｆの先端側は略く字状に折曲形成されている。さらに、位置決め固定片７ｇの他端側には、位置決め固定片７ｆと直交する方向であって係止片７ｆと同方向に延出する連結片７ｊが一体に形成されており、この連結片７ｊを介して位置決め固定片７ａと一体に連結している。また、口金収納部５の裏面側において係止片７ｆに対応する部位には、各挿通溝５ｃと連通する挿通孔５ｈがそれぞれ設けられている。
【００６１】
この係止ばね７を口金収納部５に取付けるには、まず裏面側から位置決め固定片７ａ側を開口部５ｆを通して係合溝５ｂに挿入するとともに、係止片７ｆを挿通孔５ｈを通して挿通溝５ｃ内に配置する。そして、位置決め固定片７ａの位置決め孔７ｄを位置決め突起５ｋに圧入嵌合するとともに、位置決め固定片７ｇの位置決め孔７ｈを位置決め突起５ｍに圧入嵌合し、係止片７ｅを係止凹部５ｐに係止させると、係止ばね７の取付けが完了する。取付状態において、可動ばね片７ｂは係合溝５ｂ内に配置され、係止片７ｆは挿通溝５ｃ内に配置される。尚、ランプＡをランプソケットＢに着脱する際の取付動作及び取り外し動作については、第１の実施形態と同様であるのでその説明は省略する。
【００６２】
このランプソケットＢでは、係止片７ｆを可動ばね片７ｂを切り起こして一体に形成しているので、係止ばね７の材料長の増加を抑えることができる。また、第２の実施形態と同様に、導電部材収納部６の外側に形成される空間を利用して位置決め固定片７ｇを固定できる挿通孔５ｈを設けることができるので、ソケット本体４の外形を大きくすることなく、よりコンパクトなランプソケットＢを提供することができる。
【図面の簡単な説明】
【００６３】
【図１】第１の実施形態のランプソケットにランプを装着する前の斜視図である。
【図２】同上の分解斜視図である。
【図３】（ａ）は同上の口金収納部の平面図である。（ｂ）は同上の口金収納部のＸ−Ｘ断面図である。（ｃ）は同上の口金収納部の他の例を示す平面図である。
【図４】（ａ）〜（ｃ）は同上にランプを取付ける際の係止ばねと突出部の関係を説明する説明図である。
【図５】（ａ）〜（ｄ）は同上の口金収納部に口金部を挿入する際の突出部の動作を説明する説明図である。
【図６】（ａ）は同上を用いた照明器具にランプを取付ける前の状態図である。（ｂ）は同上を用いた照明器具にランプを取付けた状態の状態図である。
【図７】同上を天井面に取付けた状態における突出部と係止ばねの位置関係を示す状態図である。
【図８】（ａ）は第２の実施形態のランプソケットの分解斜視図である。（ｂ）は同上の斜視図である。
【図９】（ａ）は第３の実施形態のランプソケットの分解斜視図である。（ｂ）は同上の斜視図である。
【図１０】（ａ）は第４の実施形態のランプソケットの分解斜視図である。（ｂ）は同上の斜視図である。
【符号の説明】
【００６４】
２    口金部
２ａ  突出部
３    ランプピン
４    ソケット本体
５    口金収納部
５ａ  収納凹部
５ｂ  係合溝
５ｃ  挿通溝
６    導電部材収納部
７    係止ばね
８    係止ばね（弾性係止部材）
８ａ  係止片（係止部）
Ｂ    ランプソケット
Ａ    ランプ
【図１】
2008130384.tif 000003
【図２】
2008130384.tif 000004
【図３】
2008130384.tif 000005
【図４】
2008130384.tif 000006
【図５】
2008130384.tif 000007
【図６】
2008130384.tif 000008
【図７】
2008130384.tif 000009
【図８】
2008130384.tif 000010
【図９】
2008130384.tif 000011
【図１０】
2008130384.tif 000012